(57)【要約】【課題】撮影感度及びストロボの動作条件の少なくとも一方を異ならせて連写撮影することにより失敗のない撮影ができ、ユーザの使い勝手を向上させることができる撮像装置及び撮像方法を提供する。【解決手段】被写体を撮影する撮像光学系１２及びＣＣＤ１８を備えた撮影装置１０で、連写撮影する少なくとも２コマについて、撮影感度及びストロボ発光装置５４の動作条件を含む設定情報の撮影感度及びストロボ発光装置５４の動作条件少なくとも一方を各コマ毎に異ならせて設定情報群記憶部に３６に記憶しておき、記憶した設定情報に従って該少なくとも２コマについて連写撮影されるように撮像光学系１２及びＣＣＤ１８を制御し、該撮影した被写体の画像データをコマ毎にメモリカード４２に記録する。【選択図】図２
2007266926.tif 000002
【特許請求の範囲】
【請求項１】
被写体を撮影する撮影手段と、
連写撮影する少なくとも２コマについて、撮影感度及びストロボの動作条件の少なくとも一方を含む設定情報の撮影感度及びストロボの動作条件の少なくとも一方を各コマ毎に異ならせて記憶した記憶手段と、
前記記憶手段に記憶された前記設定情報に従って前記少なくとも２コマについて連写撮影されるように前記撮影手段を制御する撮影制御手段と、
前記撮影手段で撮影した被写体の画像データをコマ毎に記録する画像データ記録手段と、
を含む撮影装置。
【請求項２】
前記撮影制御手段は、前記記憶手段に前記設定情報の撮影感度及びストロボの動作条件の少なくとも一方が記憶されていないコマを含めて連写撮影する場合には、該コマの撮影感度及びストロボの動作条件の少なくとも一方を、被写体の明るさ、撮影感度以外の露出条件、予め定められた設定情報、及び連写撮影するコマに隣接するコマの前記設定情報の少なくとも１つに基づいて自動的に設定し、該設定及び前記記憶手段に記憶された前記設定情報に従って連写撮影されるように前記撮影手段を制御する請求項１記載の撮影装置。
【請求項３】
前記撮影制御手段は、前記設定情報の撮影感度及びストロボの動作条件の少なくとも一方が記憶されていないコマの撮影感度及びストロボの動作条件を、連写撮影前に被写体の明るさを測光したとき、または連写撮影中であって前記設定情報が記憶されていないコマの撮影前に、自動的に設定する請求項２記載の撮影装置。
【請求項４】
前記設定情報を各コマ毎に入力するための入力手段を更に設け、
前記記憶手段は、前記入力手段で入力された前記設定情報を各コマ毎に記憶する請求項１乃至請求項３のいずれか１項記載の撮影装置。
【請求項５】
前記入力手段を、撮影感度及びストロボの動作条件の少なくとも一方が互いに異なる設定情報が対応付けられた複数種類の撮影条件から少なくとも１つを選択するための撮影条件選択手段を含んで構成し、
前記記憶手段は、前記撮影条件選択手段で選択された撮影条件に対応付けられた前記設定情報を、前記連写撮影する複数のコマのいずれかの前記設定情報として記憶する請求項４記載の撮影装置。
【請求項６】
前記入力手段を、被写体の明るさ、主要被写体の明るさ、主要被写体の明るさと背景の明るさとの比、及び前記撮影条件選択手段による過去の選択結果の少なくとも１つに応じて前記複数種類の撮影条件の中から少なくとも１つの撮影条件を選択し、該選択した撮影条件が表示手段に表示されるように制御する撮影条件表示制御手段を更に含んで構成し、
前記撮影条件選択手段を、前記表示された撮影条件から少なくとも１つを選択可能に構成した請求項５記載の撮影装置。
【請求項７】
前記撮影条件表示制御手段は、更に、被写体の明るさ、主要被写体の明るさ、主要被写体の明るさと背景の明るさとの比、及び前記撮影条件選択手段による過去の選択結果の少なくとも１つに応じた順序で前記複数種類の撮影条件が表示手段に表示されるように制御する請求項６記載の撮影装置。
【請求項８】
前記撮影制御手段は、前記撮影条件選択手段で選択された複数の撮影条件に対応付けられた複数の設定情報に従って連写撮影する複数のコマに、該複数の設定情報とは異なる設定情報に従って撮影するコマを含めて連写撮影するように前記撮影手段を制御する請求項５乃至請求項７のいずれか１項記載の撮影装置。
【請求項９】
前記入力手段の入力操作中に、連写撮影する複数のコマについて全ての前記設定情報が入力されていない状態で該入力操作の終了が指示された場合には、全ての前記設定情報が入力されるまで該入力操作が終了しない、或いは、それまでに入力された前記設定情報が前記記憶手段に記憶されないように制御する入力制御手段を更に設けた請求項４乃至請求項８のいずれか１項記載の撮影装置。
【請求項１０】
前記撮影制御手段は、前記記憶手段に記憶された各コマ毎の前記設定情報と、ストロボ装置の状態とに応じて前記連写撮影するときの各コマの撮影順序を変更して連写撮影されるように前記撮影手段を制御する請求項１乃至請求項９のいずれか１項記載の撮影装置。
【請求項１１】
前記ストロボ装置の状態は、ストロボ用コンデンサの性能、容量、充電状態、充電に要する時間、及びストロボの光量の少なくとも１つを含む請求項１０記載の撮影装置。
【請求項１２】
前記記憶手段に記憶されている設定情報の設定順序と、前記撮影手段で連写撮影したときの撮影順序とが異なる場合には、前記撮影手段で連写撮影した各コマの画像データが前記記憶手段に記憶されている設定情報の設定順序に従って前記画像データ記録手段に記録されるように制御する記録制御手段を更に設けた請求項１０または請求項１１記載の撮影装置。
【請求項１３】
前記記憶手段に、前記設定情報を複数組み合わせた設定情報群を複数記憶し、
前記記憶された複数の設定情報群から連写撮影するときに用いる設定情報群を選択するための設定情報群選択手段を更に設け、
前記撮影制御手段は、該設定情報群選択手段で選択された設定情報群の設定情報に従って連写撮影されるように前記撮影手段を制御する請求項１乃至請求項１２のいずれか１項記載の撮影装置。
【請求項１４】
前記設定情報群選択手段に対する所定の操作の回数に応じて、前記記憶された複数の設定情報群の中から前記撮影制御手段の制御により連写撮影するときに用いる設定情報群を切替えて選択する請求項１３記載の撮影装置。
【請求項１５】
前記設定情報群選択手段を、前記記憶された複数の設定情報群の各々に対応した複数の指定手段を含み、且つ該複数の指定手段のいずれか１つが操作されたときに、該操作された指定手段に対応する設定情報群を連写撮影するときに用いる設定情報群として選択するように構成した請求項１３記載の撮影装置。
【請求項１６】
前記画像データ記録手段に記録された画像データを再生するときに、該画像データを撮影したときの前記設定情報を示す図形または文字列が、該画像データの画像と組み合わされて表示されるように制御する再生制御手段を更に設けた請求項１乃至請求項１５のいずれか１項記載の撮影装置。
【請求項１７】
被写体の明るさ、主要被写体の明るさ、及び主要被写体の明るさと背景の明るさとの比の少なくとも１つに基づいて、前記記憶された設定情報に従って連写撮影するか否かを決定する決定手段を更に設け、
前記撮影制御手段は、前記決定手段で前記記憶された設定情報に従って連写撮影すると決定されたときに、該連写撮影が行われるように前記撮影手段を制御する請求項１記載の撮影装置。
【請求項１８】
前記撮影制御手段は、前記記憶された設定情報に従って連写撮影を行う場合には、被写体の明るさ、主要被写体の明るさ、及び主要被写体の明るさと背景の明るさとの比の少なくとも１つに基づいて、前記記憶された設定情報から連写撮影するときに用いる設定情報を選択し、該選択した設定情報に従って連写撮影されるように前記撮影手段を制御する請求項１７記載の撮影装置。
【請求項１９】
前記記憶手段に、前記設定情報を複数組み合わせた設定情報群を複数記憶し、
前記撮影制御手段は、前記記憶された設定情報に従って連写撮影を行う場合には、被写体の明るさ、主要被写体の明るさ、及び主要被写体の明るさと背景の明るさとの比の少なくとも１つに基づいて、前記記憶された複数の設定情報群から連写撮影するときに用いる設定情報群を選択し、該選択した設定情報群の設定情報に従って連写撮影されるように前記撮影手段を制御する請求項１７記載の撮影装置。
【請求項２０】
被写体を撮影する撮影手段を備えた撮影装置の撮影方法であって、連写撮影する少なくとも２コマについて、撮影感度及びストロボの動作条件の少なくとも一方を含む設定情報の撮影感度及びストロボの動作条件の少なくとも一方を各コマ毎に異ならせて記憶しておき、前記記憶された前記設定情報に従って前記少なくとも２コマについて連写撮影されるように前記撮影手段を制御し、前記撮影手段で撮影した被写体の画像データをコマ毎に記録する撮影方法。
【発明の詳細な説明】
【技術分野】
【０００１】
本発明は、連写撮影することができる撮影装置及び該撮影装置における撮影方法に関する。
【背景技術】
【０００２】
旅先等で他人に撮影してもらう場合には、撮影機会が一度きりとなってしまうことが多い。このように撮影機会が限られている場合には、カメラの設定によっては満足のいく撮影画像が得られないことがある。特に、撮影感度が撮影環境に適しているか、最適な撮影感度やストロボの動作条件の設定が何であるかは、実際に被写体を撮影して結果を見るまでは判断できない。例えば、暗所など撮影環境が良くない場合には、高感度撮影／中感度スローシンクロ撮影／低感度フラッシュ撮影などのいずれの撮影条件が撮影に適しているかがわからず、撮影環境に適していない条件で撮影して、失敗写真となったり、意図した写真にならなかったりすることがある。前述のように撮影機会が限られている場合や、時々刻々と撮影環境が変化する場合には取り直しが困難であるため、１回の撮影で失敗のない撮影結果が得られることが好ましい。
【０００３】
そこで、被写体を撮像することが可能な受光ユニットを複数備え、受光ユニット毎に撮影条件（シャッタースピード、絞り、ズーム等）、撮影モード（静止画／動画モード、高速連写モード、先幕シンクロ／後幕シンクロモード等）の設定が可能であって、シャッターボタンが操作されると設定された撮影条件、撮影モードにしたがって、それぞれの受光ユニットを制御し、それぞれの受光ユニットが被写体を撮影する撮像装置が提案されている（例えば、特許文献１参照。）。
【０００４】
しかしながら、この撮像装置では、複数の受光ユニットを利用するため、撮像装置をそれ専用に設計しなくてはならず、高コストになり、一般的なデジタルカメラには適用できない、という問題がある。
【０００５】
一般的なデジタルカメラに適用可能な技術としては、焦点距離、ピント位置又はビット数のいずれかを含む撮影条件の設定表を記憶する手段と、交換された部品から部品情報を取得する手段と、選択された撮影条件の設定表を予め定められた対応情報に従って変換した撮影条件データを生成する手段と、複数の画像データと撮影条件データとを関連付けて記録する手段とを備えた撮影装置と、記録媒体に記録されたデータの中から撮影条件データを抽出して解析し、各々の画像データを表示する際にその画像データに対応する撮影条件を認識可能に表示する画像処理装置とを用いて連写撮影し、撮影条件を変化させた複数の画像データが得られる技術が提案されている（例えば、特許文献２参照。）。
【特許文献１】特開２００５−１０９９７９号公報
【特許文献２】特開２００４−２４７９８３号公報
【発明の開示】
【発明が解決しようとする課題】
【０００６】
しかしながら、上記特許文献２に記載の技術では、連写撮影時に設定する撮影条件には、撮影環境等に応じて被写体の撮影結果に大きな影響を及ぼす撮影感度やストロボの動作条件の設定が含まれていない。また、撮影条件の設定の仕方については上記特許文献２に記載の技術では一切提案されておらず、ユーザの使い勝手を向上させるための工夫が不足している。
【０００７】
本発明は、上記問題を解決すべく成されたもので、撮影感度及びストロボの動作条件の少なくとも一方を異ならせて連写撮影することにより失敗のない撮影ができ、ユーザの使い勝手を向上させることができる撮像装置及び撮像方法を提供することを目的とする。
【課題を解決するための手段】
【０００８】
上記目的を達成するために、本発明の撮影装置は、被写体を撮影する撮影手段と、連写撮影する少なくとも２コマについて、撮影感度及びストロボの動作条件の少なくとも一方を含む設定情報の撮影感度及びストロボの動作条件の少なくとも一方を各コマ毎に異ならせて記憶した記憶手段と、前記記憶手段に記憶された前記設定情報に従って前記少なくとも２コマについて連写撮影されるように前記撮影手段を制御する撮影制御手段と、前記撮影手段で撮影した被写体の画像データをコマ毎に記録する画像データ記録手段と、を含んで構成されている。
【０００９】
このように、連写撮影する少なくとも２コマについて、撮影感度及びストロボの動作条件の少なくとも一方を含む設定情報の撮影感度及びストロボの動作条件の少なくとも一方を各コマ毎に異ならせて記憶し、該設定情報に応じて連写撮影するようにしたため、１回の連写撮影で、多様な印象を持つ複数の写真を撮影することができ、撮影の失敗が少なくなり、使い勝手も向上する。
【００１０】
前記撮影制御手段は、前記記憶手段に前記設定情報の撮影感度及びストロボの動作条件の少なくとも一方が記憶されていないコマを含めて連写撮影する場合には、該コマの撮影感度及びストロボの動作条件の少なくとも一方を、被写体の明るさ、撮影感度以外の露出条件、予め定められた設定情報、及び連写撮影するコマに隣接するコマの前記設定情報の少なくとも１つに基づいて自動的に設定し、該設定及び前記記憶手段に記憶された前記設定情報に従って連写撮影されるように前記撮影手段を制御することができる。
【００１１】
このように、前記設定情報の撮影感度及びストロボの動作条件の少なくとも一方が記憶されていないコマについては、自動的に撮影感度及びストロボの動作条件の少なくとも一方を設定して既に設定情報が記憶されているコマに含めて連写撮影することができるため、ユーザが設定情報を設定する手間暇を軽減することができる。
【００１２】
なお、前記撮影制御手段は、前記設定情報の撮影感度及びストロボの動作条件の少なくとも一方が記憶されていないコマの撮影感度及びストロボの動作条件を、連写撮影前に被写体の明るさを測光したとき、または連写撮影中であって前記設定情報が記憶されていないコマの撮影前に、自動的に設定することができる。
【００１３】
また、前記設定情報を各コマ毎に入力するための入力手段を更に設け、前記記憶手段は、前記入力手段で入力された前記設定情報を各コマ毎に記憶するようにしてもよい。
【００１４】
これにより、連写撮影する各コマ毎に詳細な撮影設定を行うことができ、ユーザーの自由度が増す。
【００１５】
さらに、前記入力手段を、撮影感度及びストロボの動作条件の少なくとも一方が互いに異なる設定情報が対応付けられた複数種類の撮影条件から少なくとも１つを選択するための撮影条件選択手段を含んで構成し、前記記憶手段は、前記撮影条件選択手段で選択された撮影条件に対応付けられた前記設定情報を、前記連写撮影する複数のコマのいずれかの前記設定情報として記憶することができる。
【００１６】
例えば、撮影対象の被写体の種類や撮影シーン等の撮影条件に対応して予め設定条件を定めておけば、これをユーザが選択でき、これにより最適な設定で撮影することができる。また、より簡易にユーザが所望の設定情報を入力することができる。
【００１７】
なお、前記入力手段を、被写体の明るさ、主要被写体の明るさ、主要被写体の明るさと背景の明るさとの比、及び前記撮影条件選択手段による過去の選択結果の少なくとも１つに応じて前記複数種類の撮影条件の中から少なくとも１つの撮影条件を選択し、該選択した撮影条件が表示手段に表示されるように制御する撮影条件表示制御手段を更に含んで構成し、前記撮影条件選択手段を、前記表示された撮影条件から少なくとも１つを選択可能に構成することができる。
【００１８】
このような構成により、例えば、そのときの被写体の明るさ、主要被写体の明るさ、主要被写体の明るさと背景の明るさ等に応じて不適切な撮影条件を除いた撮影条件をユーザに表示して選択させることができるため、最適な設定で撮影することができる。また、例えば、過去に選択した選択結果から選択する確率が高い撮影条件（例えば選択頻度が高い撮影条件、或いは最も最近選択された撮影条件、等）を抽出してユーザに表示して選択させることもでき、これによっても最適な設定で撮影することができる。
【００１９】
なお、ここで主要被写体の明るさとは、被写体の中の主要な部分（例えばフォーカスポイントとなった部分）の明るさをいう。
【００２０】
前記撮影条件表示制御手段は、更に、被写体の明るさ、主要被写体の明るさ、主要被写体の明るさと背景の明るさとの比、及び前記撮影条件選択手段による過去の選択結果の少なくとも１つに応じた順序で前記複数種類の撮影条件が表示手段に表示されるように制御することもできる。
【００２１】
撮影条件を表示する順序も、被写体の明るさ、主要被写体の明るさ、主要被写体の明るさと背景の明るさとの比、及び前記撮影条件選択手段による過去の選択結果の少なくとも１つに応じた順序にすれば、ユーザはより撮影条件を選択しやすくなる。
【００２２】
前記撮影制御手段は、前記撮影条件選択手段で選択された複数の撮影条件に対応付けられた複数の設定情報に従って連写撮影する複数のコマに、該複数の設定情報とは異なる設定情報に従って撮影するコマを含めて連写撮影するように前記撮影手段を制御することができる。
【００２３】
このような構成により、設定情報が異なるコマをより多く連写撮影することができ、撮影の失敗がなくなる。
【００２４】
前記入力手段の入力操作中に、連写撮影する複数のコマについて全ての前記設定情報が入力されていない状態で該入力操作の終了が指示された場合には、全ての前記設定情報が入力されるまで該入力操作が終了しない、或いは、それまでに入力された前記設定情報が前記記憶手段に記憶されないように制御する入力制御手段を更に設けることができる。
【００２５】
これにより、ユーザの入力した設定情報に従ってユーザが希望する連写撮影ができるようになる。
【００２６】
前記撮影制御手段は、前記記憶手段に記憶された各コマ毎の前記設定情報と、ストロボ装置の状態とに応じて前記連写撮影するときの各コマの撮影順序を変更して連写撮影されるように前記撮影手段を制御することができる。
【００２７】
例えば、ストロボ用コンデンサの性能や容量が充分でない場合に、連続してストロボを発光すると、連写途中で容量不足となり連写撮影が中断されたりして、連写撮影が失敗してしまうことにもなりかねない。従って、こうした事態を防ぐために、各コマ毎の設定情報及びストロボ装置の状態に応じて、充電不足とならないようにストロボ発光するコマの間にストロボを発光しないコマを挿入する等、撮影順序を適宜変更して撮影することによって、連写撮影で失敗することなく、好適な撮影結果が得られる。
【００２８】
なお、前記ストロボ装置の状態は、ストロボ用コンデンサの性能、容量、充電状態、充電に要する時間、及びストロボの光量の少なくとも１つを含むことができる。
【００２９】
また、前記記憶手段に記憶されている設定情報の設定順序と、前記撮影手段で連写撮影したときの撮影順序とが異なる場合には、前記撮影手段で連写撮影した各コマの画像データが前記記憶手段に記憶されている設定情報の設定順序に従って前記画像データ記録手段に記録されるように制御する記録制御手段を更に設けることができる。
【００３０】
ユーザの中には、記憶手段に記憶されている設定情報の順序で撮影して画像データを記録することを希望する者もいるため、上記のように撮影順序を変更した場合には、実際に連写撮影された順序ではなく、記憶手段に記憶されている設定情報の順序で各コマの画像データを記録するようにしてもよい。これにより、所望の撮影結果が得られる。
【００３１】
前記記憶手段に、前記設定情報を複数組み合わせた設定情報群を複数記憶し、前記記憶された複数の設定情報群から連写撮影するときに用いる設定情報群を選択するための設定情報群選択手段を更に設け、前記撮影制御手段は、該設定情報群選択手段で選択された設定情報群の設定情報に従って連写撮影されるように前記撮影手段を制御することができる。
【００３２】
このような構成により、即座に設定情報群を選択して連写撮影を開始することができ、撮影装置がより使いやすくなる。
【００３３】
なお、このような構成において、前記設定情報群選択手段に対する所定の操作の回数に応じて、前記記憶された複数の設定情報群の中から前記撮影制御手段の制御により連写撮影するときに用いる設定情報群を切替えて選択するようにしてもよい。
【００３４】
所定の操作とは、例えば、設定情報群選択手段がボタン等であれば、接触や押下など、ボタンに対する何らかの操作等とすることができる。
【００３５】
また、前記設定情報群選択手段を、前記記憶された複数の設定情報群の各々に対応した複数の指定手段を含み、且つ該複数の指定手段のいずれか１つが操作されたときに、該操作された指定手段に対応する設定情報群を連写撮影するときに用いる設定情報群として選択するように構成してもよい。
【００３６】
また、前記画像データ記録手段に記録された画像データを再生するときに、該画像データを撮影したときの前記設定情報を示す図形または文字列が、該画像データの画像と組み合わされて表示されるように制御する再生制御手段を更に設けることができる。
【００３７】
このように画像データの再生時に設定情報を示す図形または文字列を画像データの画像を組み合わせて表示するように制御することによって、撮影内容が一目でわかる。
【００３８】
なお、本発明の撮影装置に、被写体の明るさ、主要被写体の明るさ、及び主要被写体の明るさと背景の明るさとの比の少なくとも１つに基づいて、前記記憶された設定情報に従って連写撮影するか否かを決定する決定手段を更に設け、前記撮影制御手段は、前記決定手段で前記記憶された設定情報に従って連写撮影すると決定されたときに、該連写撮影が行われるように前記撮影手段を制御することができる。
【００３９】
このような構成によれば、被写体の明るさ、主要被写体の明るさ、及び主要被写体の明るさと背景の明るさとの比の少なくとも１つに応じて最適な撮影を行うことができる。
【００４０】
また、前記撮影制御手段は、前記記憶された設定情報に従って連写撮影を行う場合には、被写体の明るさ、主要被写体の明るさ、及び主要被写体の明るさと背景の明るさとの比の少なくとも１つに基づいて、前記記憶された設定情報から連写撮影するときに用いる設定情報を選択し、該選択した設定情報に従って連写撮影されるように前記撮影手段を制御することができる。
【００４１】
設定情報も被写体の明るさ、主要被写体の明るさ、及び主要被写体の明るさと背景の明るさとの比の少なくとも１つに応じて自動的に選択することができるため、ユーザの使い勝手が向上する。
【００４２】
前記記憶手段に、前記設定情報を複数組み合わせた設定情報群を複数記憶し、前記撮影制御手段は、前記記憶された設定情報に従って連写撮影を行う場合には、被写体の明るさ、主要被写体の明るさ、及び主要被写体の明るさと背景の明るさとの比の少なくとも１つに基づいて、記記憶された複数の設定情報群から連写撮影するときに用いる設定情報群を選択し、該選択した設定情報群の設定情報に従って連写撮影されるように前記撮影手段を制御することができる。
【００４３】
設定情報群も被写体の明るさ、主要被写体の明るさ、及び主要被写体の明るさと背景の明るさとの比の少なくとも１つに応じて自動的に選択することができるため、ユーザの使い勝手が向上する。
【００４４】
本発明の撮影方法は、被写体を撮影する撮影手段を備えた撮影装置の撮影方法であって、連写撮影する少なくとも２コマについて、撮影感度及びストロボの動作条件の少なくとも一方を含む設定情報の撮影感度及びストロボの動作条件の少なくとも一方を各コマ毎に異ならせて記憶しておき、前記記憶された前記設定情報に従って前記少なくとも２コマについて連写撮影されるように前記撮影手段を制御し、前記撮影手段で撮影した被写体の画像データをコマ毎に記録することができる。
【００４５】
本発明の撮影方法も、本発明の撮影装置と同様に作用するため、異なる撮影感度、ストロボの動作条件で撮影した複数の画像データを得ることができ、撮影の失敗も少なくなり且つユーザの使い勝手を向上させることができる。
【発明の効果】
【００４６】
以上説明したように本発明によれば、少なくとも２コマについて撮影感度及びストロボの動作条件の少なくとも一方を異ならせて連写撮影するようにしたため、異なる撮影感度、ストロボの動作条件で撮影した複数の画像データを得ることができ、撮影の失敗も少なくなり且つユーザの使い勝手を向上させることができる、という効果を奏する。
【発明を実施するための最良の形態】
【００４７】
以下、図面を参照して本発明の実施の形態の一例を詳細に説明する。
【００４８】
図１は、本実施の形態に係る撮影装置１０を背面方向から見た外観図である。
【００４９】
この撮影装置１０の上面には、撮影を実行する際に押圧操作されるレリーズボタン（所謂シャッター）５０ａと、電源スイッチ５０ｂとが備えられている。本実施の形態に係る撮影装置１０のレリーズボタン５０ａは、中間位置まで押下される状態（以下、半押し状態またはＳ１という。）、及び当該中間位置を超えた最終押下位置まで押下される状態（以下、全押し状態またはＳ２という。）の２段階の押圧操作が検出可能に構成されている。レリーズボタン５０ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００５０】
また、撮影装置１０の背面には、撮影された被写体像やメニュー画面等を表示するための表示部４６と、撮影する被写体の構図を決定するために用いられる光学ファインダ６２とが備えられている。
【００５１】
さらにまた、撮影装置１０には、撮影を行うモードである撮影モード及び被写体像を表示部４６に再生するモードである再生モードの何れかのモードに設定する際にスライド操作されるモード切替スイッチ５０ｃと、テレ／ワイド切替スイッチ５０ｄとが備えられている。
【００５２】
さらに、撮影装置１０には、十字カーソルボタン５０ｅが備えられている。十字カーソルボタン５０ｅは、表示部４６の表示領域における上・下・左・右の４方向の移動方向を示す４つの矢印キー及び当該４つの矢印キーの中央部に位置された決定キーの合計５つのキーを含んで構成されている。
【００５３】
図２は、本実施の形態に係る撮影装置１０の電気系の構成を示すブロック図である。
【００５４】
この撮影装置１０の撮影光学系１２は撮影レンズ１４及び絞り１６を含んで構成されている。
【００５５】
撮影光学系１２を介してＣＣＤ１８の受光面に結像された被写体像は、入射光量に応じた量の信号電荷に変換される。このようにして蓄積された信号電荷は、ＣＣＤ駆動回路２０から加えられるＣＣＤ駆動パルスによって読み出され、信号電荷に応じた電圧信号（アナログ画像信号）として順次ＣＣＤ１８から出力される。
【００５６】
ＣＣＤ１８から読み出された信号は、ＣＤＳ回路２２において相関二重サンプリング（ＣＤＳ）処理されるとともに、Ｒ，Ｇ，Ｂの各色信号に色分離処理され、各色信号の信号レベルの調整（プリホワイトバランス処理）が行われる。
【００５７】
これら所定のアナログ信号処理を経た画像信号は、Ａ／Ｄ変換器２４に加えられ、該Ａ／Ｄ変換器２４によりＲ，Ｇ，Ｂのデジタル信号に変換された後、メモリ２６に格納される。
【００５８】
タイミング信号発生回路（ＴＧ）２８は、ＣＰＵ３０からのコマンドに応じてＣＣＤ駆動回路２０、ＣＤＳ回路２２及びＡ／Ｄ変換器２４に対して適宜のタイミング信号を与えており、各回路はタイミング信号発生回路２８から加えられるタイミング信号により同期して駆動されるようになっている。
【００５９】
ＣＰＵ３０は、不図示のＲＯＭに記憶された様々な処理ルーチンのプログラムを実行することにより撮影装置１０の各回路を統括制御する制御部であり、バス３２を介して設定情報記憶部３４、設定情報群記憶部３６、デジタル信号処理部３８、圧縮伸張回路４０、メモリカード４２のカードインターフェース４４、及び表示部４６を駆動する表示用ドライバー４８等と接続されている。
【００６０】
ＣＰＵ３０は操作部５０からの入力信号に基づいて対応する回路ブロックを制御するとともに、撮影レンズ１４のズーミング動作や自動焦点調節（ＡＦ）動作の制御、並びに自動露出調節（ＡＥ）の制御等を行う。
【００６１】
操作部５０には、前述のレリーズボタン５０ａ、電源スイッチ５０ｂ、モード切替スイッチ５０ｃ、テレ／ワイド切替スイッチ５０ｄ、及び十字カーソルボタン５０ｅが含まれる。
【００６２】
ＣＰＵ３０は、ＣＣＤ１８から出力される画像信号に基づいて、焦点評価演算やＡＥ演算などの各種演算を行い、その演算に基づいて、撮影レンズ１４及び絞り１６の駆動手段（例えば、ＡＦモータやアイリスモータ等）５２を制御してフォーカスレンズを合焦位置に移動させるとともに、絞り１６を適正絞り値に設定する。
【００６３】
例えば、ＡＦ制御には、Ｇ信号の高周波成分が最大になるようにフォーカスレンズを移動させるコントラストＡＦ方式が採用される。ＡＥ制御には、１フレームのＲ、Ｇ、Ｂ信号を積算した積算値に基づいてＥＶ（Exposure Value、露出値）を求め、この露出値ＥＶに基づいて絞り値とシャッタースピードを決定し、駆動手段５２を介して絞り１６を駆動するとともに、決定したシャッタースピードとなるように電子シャッターによってＣＣＤ１８の電荷の蓄積時間を制御する。したがって、撮影装置１０の撮影レンズ１４を被写体に向けるだけで、最適な露出調整が行われるとともに、ピント合わせが自動的に行われる。
【００６４】
撮影記録時においては、レリーズボタン５０ａの半押し（Ｓ１）時に上述した測光動作を複数回繰り返して正確な露出値ＥＶを求め、この露出値ＥＶに基づいて撮影時の絞り値とシャッタースピードを最終的に決定する。そして、レリーズボタン５０ａの全押し（Ｓ２）時に前記最終的に決定した絞り値になるように絞り１６を駆動し、また、決定したシャッタースピードとなるように電子シャッターによって電荷の蓄積時間を制御する。なお、ＡＥ、ＡＦはＣＣＤ１８から取得される画像信号に基づいて測光して制御する方法の他、周知の測光センサを用いて測光したりＡＦ投光／受光センサからなる測距センサ等を用いて測距して制御してもよい。
【００６５】
また、この撮影装置１０はストロボ発光装置５４と、調光用の受光素子５６を有し、操作部５０に含まれるストロボモード設定ボタンの操作等に応じて、例えば、低輝度時にストロボ発光装置５４を自動的に発光させる「低輝度自動発光モード」、被写体輝度にかかわらずストロボ発光装置５４を発光させる「強制発光モード」、又はストロボ発光装置５４の発光を禁止させる「発光禁止モード」等に設定することができる。
【００６６】
ＣＰＵ３０は、ストロボ発光装置５４のメインコンデンサの充電制御や、発光管（例えば、キセノン管）への放電（発光）タイミングを制御するとともに、受光素子５６からの測定結果に基づいて発光停止の制御を行う。受光素子５６はストロボの発光によって照らされる被写体からの反射光を受光し、受光量に応じた電気信号に変換する。受光素子５６の信号は図示せぬ積分回路により積算され、積算受光量が所定の適正受光量に達した時にストロボの発光が停止される。
【００６７】
Ａ／Ｄ変換器２４から出力されたデータは前記メモリ２６に格納されるとともに、積算回路６０に加えられる。積算回路６０は、撮影画面を複数のブロック（例えば、８×８の６４個のブロック）に分割し、各ブロック毎に受入したＧ信号の積算演算を行う。なお、Ｒ、Ｇ、Ｂのデータから輝度信号（Ｙ信号）を生成して、輝度信号の積算演算を行ってもよい。また、積算回路６０はＡＥ演算回路で兼用することもできる。積算回路６０で得られた積算値の情報（演算結果）はＣＰＵ３０に入力される。
【００６８】
ＣＰＵ３０は積算回路６０からの情報に基づき、所定のアルゴリズムに従ってゲイン値（増幅率）を決定する。ＣＰＵ３０は決定したゲイン値に従ってデジタル信号処理部３８で行われるゲイン調整のゲイン量を制御する。
【００６９】
デジタル信号処理部３８は、ＣＰＵ３０の制御に従って、メモリ２６に記憶されたＲ、Ｇ、Ｂの画像データをゲイン調整し、増幅処理する。さらに増幅処理した画像データに、ガンマ補正処理を施した後、ＲＧＢデータから輝度信号（Ｙ信号）及び色差信号（Ｃr,Ｃb信号）に変換する。この輝度・色差信号（ＹＣ信号と略記する）は、メモリ２６に書き戻される。メモリ２６に記憶されたＹＣ信号は表示用ドライバー４８に供給され、所定方式の信号（例えば、ＮＴＳＣ方式のカラー複合映像信号）に変換されて表示部４６に出力される。表示部４６には液晶ディスプレイその他のカラー表示可能な表示装置が用いられる。なお、表示部４６はＹＣ信号入力対応のタイプのものを適用してもよいし、ＲＧＢ信号入力タイプのものを適用してもよく、表示装置に対応したドライバーが適用される。
【００７０】
ＣＣＤ１８から出力される画像信号によって画像データ（ＹＣ信号）が定期的に書き換えられ、その画像データから生成される映像信号が表示部４６に供給されることにより、ＣＣＤ１８が捉える画像がリアルタイムに動画像（ライブ画像）として、又はリアルタイムではないが、ほぼ連続した画像として表示部４６に表示される。
【００７１】
表示部４６は電子ビューファインダーとして利用でき、撮影者は表示部４６の表示画像又は光学ファインダ６２によって撮影画角を確認することができる。レリーズボタン５０ａの押下操作など所定の記録指示（撮影開始指示）操作に呼応して、記録用の画像データの取り込みが開始される。
【００７２】
撮影者が操作部５０から撮影記録の指示を入力すると、ＣＰＵ３０は必要に応じて圧縮伸張回路４０にコマンドを送り、これにより圧縮伸張回路４０はメモリ２６上のＹＣ信号をＪＰＥＧその他の所定の形式に従って圧縮する。圧縮された画像データはカードインターフェース４４を介してメモリカード４２に記録される。
【００７３】
非圧縮の画像データを記録するモード（非圧縮モード）が選択されている場合には、前記圧縮伸張回路４０による圧縮処理を実施せずに、非圧縮のまま画像データがメモリカード４２に記録される。
【００７４】
本実施の形態の撮影装置１０は、画像データを保存する手段としてメモリカード４２が用いられている。具体的には、例えばスマートメディア等の記録メディアが適用される。記録メディアの形態は上記のものに限らず、ＰＣカード、マイクロドライブ、マルチメディアカード（ＭＭＣ）、磁気ディスク、光ディスク、光磁気ディスク、メモリスティックなど種々の形態が可能であり、使用される媒体に応じた信号処理手段とインターフェースが適用される。
【００７５】
また、再生モード時にはメモリカード４２から読み出された画像データが圧縮伸張回路４０によって伸張処理され、表示用ドライバー４８を介して表示部４６に出力される。
【００７６】
なお、表示部４６には、上記画像データの画像の他、設定情報（後述）を入力するための入力画面や各種設定画面、メニュー画面なども表示される。これら画面を表示するためのデータは不図示のメモリに記憶されており、適宜ＣＰＵ３０により読み出され、表示用ドライバー４８を制御して表示部４６に表示させることができる。
【００７７】
本実施の形態の撮影装置１０は、上記モード切替スイッチ５０ｃによって、撮影モードに切替えられているときには、１回の撮影毎に１枚の静止画像を示す画像データを記録するモードである単写撮影モード、撮影を所定期間（例えば、０．１秒）毎に連続して行うことにより複数枚の静止画像を示す画像データを連続的に記録する連写撮影モードのいずれかのモードで撮影を行うことができる。更に、本撮影装置１０の連写撮影モードには、通常の連写撮影モードの他に、個別の設定情報に従って連写撮影する個別設定連写撮影モードが設けられており、撮影前に不図示のモード選択画面で十字カーソルボタン５０ｅを操作して、通常連写撮影モードか個別設定連写撮影モードかを選択することによって、各モードに対応した撮影を行うことができる。
【００７８】
ここで、個別設定連写撮影モードについて詳細に説明する。
【００７９】
例えば、夜間など撮影環境が暗いときに人物と背景を撮影する状況の場合には、撮影感度を低くしてストロボ強制発光させて撮影すると、人物だけきれいに写り背景があまり写らない場合が多く、撮影感度を高くしてストロボ発光禁止にして撮影すると、背景も人物も写せることが多く、撮影感度は中程度にしてスローシンクロで撮影すると人物はある程度きれいに写せ背景もある程度写せる場合が多い、といった特徴がある。しかしながら、実際に撮影してみるまではどの設定が最もよい撮影画像となるかはわからない。また、他人に頼んで撮ってもらう場合等は、撮影機会は基本的に１度きりであるため、撮影画像に不満があっても、撮影設定を変更して撮り直すのは難しい。
【００８０】
この撮影装置１０の個別設定連写撮影モードでは、各コマ毎に撮影感度及びストロボ発光装置５４の動作条件を含む設定情報のうち撮影感度及びストロボ発光装置５４の動作条件の少なくとも一方を異ならせ、該設定情報に従って各コマ毎に撮影感度とストロボ発光装置５４の動作条件とを変更して同一の被写体を連写撮影することができる。これにより、１度に異なる印象の被写体画像を撮影することができ、不適切な設定による失敗がなくなる。
【００８１】
設定情報群記憶部３６及び設定情報記憶部３４に記憶されている情報は、個別設定連写撮影モード中にＣＰＵ３０により参照される情報である。
【００８２】
設定情報群記憶部３６には、連写撮影する少なくとも２コマについて、撮影感度及びストロボ発光装置５４の動作条件を含む設定情報が各コマ毎に記憶されている。なお、ここでは、撮影感度はＩＳＯ感度をいい、ストロボ発光装置５４の動作条件は、ストロボ光を強制発光させるストロボ強制発光モード、ストロボ光を発光すると共にシャッタースピードを長めにして人物と夜景とをバランスよく撮影するためのスローシンクロモード、ストロボの発光を禁止するストロボ発光禁止モードのいずれかのモードをいう。
【００８３】
各コマ毎の設定情報のうち撮影感度及びストロボ発光装置５４の動作条件は、例えば、以下のように記憶されている。
１コマ目：ＩＳＯ８０、ストロボ強制発光
２コマ目：ＩＳＯ１６００、ストロボ発光禁止
３コマ目：ＩＳＯ４００、スローシンクロ
このように、各コマ毎の設定情報は各々異なっている。なお、上記設定情報の例では、撮影感度及びストロボ発光装置５４の動作条件の各々が各コマ毎に異なる場合を示したが、各コマの設定条件は、撮影感度が等しくストロボ動作条件だけが異なるようにしてもよいし、その逆であってもよい。なお、設定情報には、撮影感度及びストロボ発光装置５４の動作条件以外に、露出補正条件やホワイトバランス条件、絞り値、シャッタースピードなどを含めるようにしてもよい。
【００８４】
設定情報群記憶部３６には、このような各コマ毎の設定情報が複数組み合わされた設定情報群が複数個記憶されている。本実施の形態の撮影装置１０では、１回の連写撮影で用いられる設定情報が組み合わされ、１つの設定情報群として記憶されている。個別設定連写撮影モードでは、設定情報群記憶部３６に記憶されている複数個の設定情報群の中から１つをユーザが任意に選択することができる。そして、該選択された設定情報群の設定情報に従って連写撮影が実行される。
【００８５】
なお、本実施の形態では、設定情報群記憶部３６には設定情報群が複数個記憶されているものとして説明するが、１個であってもよい。
【００８６】
設定情報記憶部３４には、予め定められた撮影条件（撮影シーンを含む）に合わせた最適な設定情報が撮影条件に対応付けて記憶されている。撮影条件としては、例えば、「人物を鮮明に撮影」、「ナチュラルフォト」、「背景も写す」、「感度を抑える」、「最高感度で撮影」、「現在の設定を使う」等が挙げられる。設定情報記憶部３４には、このような撮影条件に対応して、例えば以下のような設定情報が記憶されている。
「人物を鮮明に撮影」：ＩＳＯ１００、ストロボ強制発光
「ナチュラルフォト」：ＩＳＯ８００、ストロボ発光禁止
「背景も写す」：ＩＳＯ４００、スローシンクロ
「感度を抑える」：ＩＳＯ２００、ストロボ発光禁止
「最高感度で撮影」：ＩＳＯ１６００、ストロボ発光禁止
「現在の設定を使う」：その時点で撮影装置１０に設定されているＩＳＯ感度及びストロボ動作条件。
【００８７】
次に、本撮影装置１０の個別設定連写撮影モードにおける連写撮影動作について説明する。図３は、個別設定連写撮影モードにおける撮影処理ルーチンの流れを示したフローチャートである。
【００８８】
まず、ステップ１００では、表示部４６に選択画面を表示して、ユーザに設定情報群を選択させる。図４は、設定情報群の選択画面の表示例を示した図である。この選択画面７０では、まず、設定画面７０中に表示されている選択メニュー７０ａで撮影モード「連写」を選択すると、選択メニュー７０ｂが表示される。更にこの選択メニュー７０ｂで、連写するときの設定情報群を選択するための「個別設定」を選択すると、設定情報群記憶部３６に記憶されている複数個の設定情報群を識別する識別名称の一覧が示された選択メニュー７０ｃ（図４では設定１，２，３の３つ）が表示される。ユーザは、この設定情報群の選択メニュー７０ｃから所望の設定情報群を十字カーソルボタン５０ｅで選択することができる。
【００８９】
なお、ここでは、設定情報群記憶部３６には設定情報群が複数個記憶されているものとして説明したが、記憶されている設定情報群が１個の場合には、選択メニュー７０ｃは表示せずに、該設定情報群の識別名称が選択メニュー７０ｂの項目中に表示されるようにして、ワンタッチで選択できるようにしてもよい。
【００９０】
設定情報群が選択された後は、ステップ１０２で、レリーズボタン５０ａが半押し（Ｓ１）されたか否かを判断する。半押しされたと判断した場合には、ステップ１０４に進み、ＡＥ機能により露出状態を設定した後、ＡＦ機能により合焦制御する。
【００９１】
続いてステップ１０６で、ユーザがレリーズボタン５０ａが全押し（Ｓ２）されたか否かを判断する。全押しされたと判断した場合には、ステップ１０８に進み、連写撮影を開始する。まず、上記選択された設定情報群から「撮影枚数＋１」番目のコマの設定情報を読み出して設定する。ここでは、例えば、
１コマ目：ＩＳＯ８０  ストロボ強制発光
２コマ目：ＩＳＯ１６００  ストロボ発光禁止
３コマ目：ＩＳＯ４００  スローシンクロ
という組み合わせの設定情報群が選択された場合を例に挙げると、１コマ目を撮影するときには、撮影感度をＩＳＯ８０とし、ストロボを強制発光して１コマ目を撮影するように設定する。
【００９２】
ステップ１１０は、上記のように撮影装置１０を設定した状態で１コマ撮影する。
【００９３】
ステップ１１２では、全設定枚数（連写撮影する全コマ数）だけ撮影が完了したか否かを判断する。例えば、上記設定情報群では連写撮影の全設定枚数が３コマであるため、撮影枚数が３枚に到達したか否かを判断する。ここで否定判断した場合には、ステップ１０８に戻り、設定情報群から「撮影枚数＋１」番のコマ（すなわち次のコマ）の設定情報を選択して設定し、ステップ１１０で該設定した状態で撮影する。そして、ステップ１１２で肯定判断されるまでこれを繰り返す。
【００９４】
これにより、上記選択した設定情報群の各設定情報が示す撮影感度及びストロボ発光装置５４の動作条件で各コマが撮影される。すなわち、同一の被写体を異なる撮影感度或いはストロボ発光装置５４の動作条件で連写撮影することができるため、１度に異なる印象の被写体画像を撮影することができ、不適切な設定による撮影の失敗がなくなる。
【００９５】
なお、本実施の形態の撮影装置１０では、ユーザが任意にコマ毎の設定情報を入力して設定情報群記憶部３６に設定情報群を記憶させることができる。
【００９６】
以下、図５〜図８を参照して、設定情報を入力して設定情報群を記憶させる処理について説明する。なお、以下に示す各表示画面では、ユーザは十字カーソルボタン５０ｅを操作してメニュー項目等を選択する。
【００９７】
図５は、設定情報を入力するための入力画面を表示させるためのメニュー画面の一例を示した図である。まず、このメニュー画面７２の選択メニュー７２ａでユーザが撮影モード「連写」を選択すると、選択メニュー７２ｂが表示される。選択メニュー７２ｂには、連写の各コマの設定情報を任意に追加・変更できる「プログラム連写」という項目が表示されている。
【００９８】
選択メニュー７２ｂでユーザが「プログラム連写」を選択すると、図６に示されるメニュー画面７４が表示部４６に表示される。同図に示すように、メニュー画面７４には、「プログラム設定」項目７４ａと「前回の設定」項目７４ｂとが表示される。「プログラム設定」は、各コマの設定情報を新たに追加する、或いは既存の設置情報を設定しなおす場合に選択する項目であり、「前回の設定」は、前回入力した設定情報をそのまま利用し、各コマの設定情報の追加・変更を行わない場合に選択する項目である。
【００９９】
このメニュー画面７４でユーザが「プログラム設定」７４ａを選択すると、図７に示されるメニュー画面７６が表示部４６に表示される。同図に示すように、メニュー画面７６には、「選択」と「新規」のいずれか一方を選択できる選択メニュー７６ｂが表示される。「選択」は、既に記憶されている設定情報群から所望の設定情報群を選択して変更する場合に選択する項目であり、「新規」は全く新たに撮影感度やストロボ発光装置５４の動作条件を設定する場合に選択する項目である。
【０１００】
この選択メニュー７６ｂでユーザが例えば「選択」を選択すると、同図の選択メニュー７６ａが表示される。この選択メニュー７６ａには、設定情報群記憶部３６に記憶されている複数個の設定情報群を識別する識別名称の一覧が示される。識別名称は、設定内容が一目でわかるような名称とすることが好ましい。また、設定内容が一目でわかるようなアイコンで表示してもよい。ここで設定情報群が選択されると、図８に示されるような入力画面７８が表示部４６に表示される。一方、選択メニュー７６ｂでユーザが例えば「新規」を選択した場合も、図８に示されるような入力画面７８が表示部４６に表示される。
【０１０１】
図７のメニュー画面７６の選択メニュー７６ｂでユーザが「選択」を選択し、選択メニュー７６ａで設定情報群を選択したときに表示される入力画面では、該設定情報群で連写撮影するコマ数（撮影枚数）７８ａ、該設定情報群を構成する各コマ毎の設定情報を閲覧するための選択メニュー７８ｂ、及び選択メニュー７８ｂで選択されたコマの設定情報内容７８ｃが表示される。ユーザは、表示されている設定情報内容７８ｃを変更したり、コマ数を追加して新規に設定情報を追加したりすることができる。ここでの変更入力が終了すると、設定情報群記憶部３６の該当する設定情報群の内容が更新される。
【０１０２】
また、図７のメニュー画面７６の選択メニュー７６ｂでユーザが「新規」を選択したときに表示される入力画面の初期状態では、まず、連写撮影するコマ数（撮影枚数）を入力するための入力エリア７８ａのみが表示される。ここで、連写撮影するコマ数（撮影枚数）を入力すると、各コマ毎の設定情報が入力できるような選択メニュー７８ｂが表示される。ユーザは、この選択メニュー７８ｂから任意のコマを選択して撮影感度（ＩＳＯ感度）やストロボ発光装置５４の動作条件等の設定情報を７８ｃの入力エリアに入力することができる。
【０１０３】
ここでの入力が終了すると、新たな設定情報群が設定情報群記憶部３６に新規追加される。このとき、設定情報群を識別するための識別名称が自動的に付与されるようにしてもよいし、識別名称をユーザが任意に入力するようにしてもよい。また、図７の選択メニュー７６ａに、識別名称の代わりに表示するアイコンも任意に設定可能とすることができる。
【０１０４】
なお、図８の入力画面７８では、設定情報として、撮影感度及びストロボ発光装置５４の動作条件だけでなく、露出補正条件やホワイトバランス条件、絞り値、シャッタースピードなどを入力設定できるようになっているが、入力する設定情報はＩＳＯ感度とストロボ動作条件だけでも良い。
【０１０５】
また、ここでは、入力画面７８における設定情報の入力操作中に、設定情報の全てまたは一部が未入力のコマがある状態でユーザが入力操作を終了しようとした場合には、全ての設定情報が入力されるまで該入力操作が終了しないように制御する。これにより、全ての設定情報を手動で入力、設定することができ、設定情報が未設定のコマが無い状態で連写撮影することができる。なお、それまでに入力された設定情報が設定情報群記憶部３６に記憶されないように制御するようにしてもよい。
【０１０６】
また、上記では、ユーザが全て手入力で連写撮影する各コマの設定情報を入力する例について説明したが、これに限定されず、ユーザが予め定められた撮影条件をいくつか選択することによって、該撮影条件に適した設定情報を自動的に設定するようにしてもよい。
【０１０７】
例えば、図７のメニュー画面７６の選択メニュー７６ｂでユーザが「新規」を選択したときに、図９に示されるような撮影条件を選択することによって設定情報を入力する入力画面８０を表示する。
【０１０８】
この入力画面８０の左側には連写撮影する各コマの一覧８０ａ（この例では、４コマ連写撮影するように初期設定されている）が表示され、入力画面８０の右側には「人物を鮮明に撮影」、「ナチュラルフォト」、「背景も写す」、「感度を抑える」、「最高感度で撮影」、「現在の設定を使う」等の撮影条件の一覧８０ｂが表示されている。ユーザが連写撮影するコマのいずれかを連写撮影する各コマの一覧８０ａから選択した状態で、この撮影条件の一覧８０ｂから所望の撮影条件を十字カーソルボタン５０ｅで選択すると、設定情報記憶部３４から、該選択した撮影条件に対応付けて記憶されている設定情報が読み出されて該コマの設定条件として設定される。
【０１０９】
このように、ユーザが撮影条件を各コマ毎に選択することによって、各コマの設定情報を入力することができ、これらを組み合わせた設定情報群を作成することができる。
【０１１０】
また、ここでは、連写撮影するコマ数が初期設定されている場合を例に挙げて説明したが、コマ数は任意に設定できるようにすることもできる。また、コマ数は未定とし、ユーザに撮影条件をいくつか選択させ、該選択した撮影条件の数だけのコマ数を連写撮影するようにして、選択順に各コマ毎の設定情報を設定し設定情報群を作成するようにしてもよい。
【０１１１】
このように撮影条件を選択するだけで設定情報群を作成することができるため、設定情報の全てを手動で設定する場合に比べて、入力が容易になる。
【０１１２】
なお、連写撮影する各コマのいくつかの設定情報を手入力で入力し、残りを撮影条件を選択して入力するようにしてもよい。ユーザが希望する設定情報が撮影条件に予め対応付けられている設定情報に含まれていない場合等には、好適である。
【０１１３】
また、撮影条件の選択結果の履歴を採取しておき、選択回数が多い撮影条件のみを上記撮影条件の一覧８０ｂに表示するようにしてもよい。これにより、ユーザは所望の撮影条件を見つけやすくなり、撮影条件の選択が容易となる。このとき、選択回数が多い撮影条件が上位になるような順序で撮影条件の一覧を表示するようにしてもよい。また、選択回数が多い撮影条件が上位になるような順序で、全ての撮影条件を表示するようにしてもよい。
【０１１４】
また、被写体の明るさ、主要被写体の明るさ、主要被写体の明るさと背景の明るさとの比の少なくとも１つに応じて撮影装置１０で撮影条件をいくつか選択し、これを撮影条件の一覧８０ｂに表示するようにしてもよい。例えば、被写体あるいは主要被写体の明るさが充分に明るいときなどは、ストロボを発光することなく高品質な撮影画像が得られる可能性が高いため、ストロボ発光禁止の設定条件に対応付けられた撮影条件を抽出して表示するようにする。また、主要被写体の明るさと背景の明るさとの比により逆光か否かを判断できるため、逆光の場合には、ストロボを強制的に発光する撮影条件を選択して表示することもできる。これにより、ユーザは状況に応じて適切な撮影条件を選択することができる。このとき、被写体の明るさ、主要被写体の明るさ、主要被写体の明るさと背景の明るさとの比少なくとも１つに応じて、より好適な撮影条件が上位となるような順序で撮影条件の一覧を表示するようにしてもよい。また、被写体の明るさ、主要被写体の明るさ、主要被写体の明るさと背景の明るさとの比の少なくとも１つに応じて、より好適な撮影条件が上位となるような順序で、全ての撮影条件を表示するようにしてもよい。
【０１１５】
さらにまた、選択結果の履歴に加えて、被写体の明るさ、主要被写体の明るさ、主要被写体の明るさと背景の明るさとの比を考慮して撮影条件の一覧を表示するようにすればなお好ましい。
【０１１６】
さらにまた、選択した複数の撮影条件に対応付けられた複数の設定情報に従って連写撮影されるコマの間に、該複数の設定情報の各々と異なる設定情報に従って撮影するコマを挿入して連写撮影するように、設定情報を自動的に生成して該当の設定情報群に含めるようにしてもよい。例えば、選択した複数の撮影条件に対応付けられた複数の設定情報の各々の差を埋めるような設定情報を挿入すれば、撮影の失敗がより少なくなる。
【０１１７】
具体的に説明すると、例えば「最高感度」、「ナチュラルフォト」、及び「感度を抑える」の３つの撮影条件が順に選択された場合には、通常、以下のような設定情報に従って各コマが連写撮影される。
１コマ目：ＩＳＯ１６００、ストロボ発光禁止
２コマ目：ＩＳＯ８００、ストロボ発光禁止
３コマ目：ＩＳＯ２００、ストロボ発光禁止。
【０１１８】
そこで、例えば２コマ目と３コマ目の設定情報の間をとるような値の設定情報（例えば、ＩＳＯ４００、ストロボ発光禁止）を生成し、設定情報群に含めて記憶するようにする。これにより、
１コマ目：ＩＳＯ１６００、ストロボ発光禁止
２コマ目：ＩＳＯ８００、ストロボ発光禁止
３コマ目：ＩＳＯ４００、ストロボ発光禁止
４コマ目：ＩＳＯ２００、ストロボ発光禁止
の順に設定情報が記憶され、これに従って連写撮影される。
【０１１９】
また、ストロボ発光を禁止するコマの間にストロボを強制発光させるコマを挿入して連写撮影するように設定情報を生成し、設定情報群に含めて記憶するようにする。これにより、
１コマ目：ＩＳＯ１６００、ストロボ発光禁止
２コマ目：ＩＳＯ１６００、ストロボ強制発光
３コマ目：ＩＳＯ８００、ストロボ発光禁止
４コマ目：ＩＳＯ８００、ストロボ強制発光
５コマ目：ＩＳＯ２００、ストロボ発光禁止
６コマ目：ＩＳＯ２００、ストロボ強制発光
の順に設定情報が記憶され、これに従って連写撮影される。
【０１２０】
また、上記実施の形態では、設定情報の入力操作中に、設定情報の全てまたは一部が未入力のコマがある状態でユーザが入力操作を終了しようとした場合には、全ての設定情報が入力されるまで該入力操作が終了しないように制御する例について説明したが、これとは逆に、全ての設定情報が入力されない状態での入力操作の終了を許可するように制御する場合には、設定情報が未設定のコマが存在することとなる。
【０１２１】
このように設定情報が未設定のコマが存在する場合には、連写撮影する前に（例えば、設定情報の入力操作終了直後などに）、設定されていない項目（コマ）を予め定められた初期値で記憶するようにすることができる。或いは、設定情報群の別のコマに対応付けられた設定情報に基づいて設定情報を生成して記憶することもできる。例えば、３コマ連写撮影する場合に、１コマ目と３コマ目の設定情報はユーザにより入力され記憶されているが、２コマ目の設定情報が入力されなかった場合に、１コマ目と３コマ目の設定情報とに基づいて２コマ目の設定情報を生成して記憶することができる。
【０１２２】
具体的には、例えば、１コマ目の設定情報が「ＩＳＯ１６００、ストロボ発光禁止」で、３コマ目の設定情報が「ＩＳＯ４００、ストロボ強制発光」の場合に、２コマ目の撮影感度は１コマ目と３コマ目の間をとって「ＩＳＯ８００」とし、ストロボ発光装置５４の動作条件については１コマ目の条件をそのまま適用して「ストロボ発光禁止」のように設定情報を生成して記憶することができる。
【０１２３】
また、未設定のコマについて予め設定情報を生成して記憶しておくのではなく、連写撮影する直前或いは連写撮影途中で、設定情報が未設定のコマについて、そのときの被写体の明るさに応じて好適な設定情報を生成して連写撮影に用いるようにしてもよい。
【０１２４】
図１０は、個別設定連写撮影モードにおいて、設定情報が未設定のコマについて設定情報を自動設定するステップを含めた撮影処理ルーチンの流れを示したフローチャートである。なお、図１０において、図３の処理ルーチンと同一の処理を実行するステップについては同一符号を付して説明を省略する。
【０１２５】
図１０に示すように、ステップ１０４のＡＥ、ＡＦ調整の後、またはステップ１０８の後のいずれか一方に、自動設定するステップ（破線で示したステップ１０５または１０９）を挿入する。
【０１２６】
例えば、ステップ１０４の後に設定情報を自動設定するステップ１０５を挿入する場合には、ステップ１０４で測光した被写体の明るさに基づいて、設定情報が未設定のコマの全てについて、設定情報を生成して記憶する。例えば、被写体が明るい場合には、ストロボ発光禁止として、他のコマの設定情報のＩＳＯ感度と異なるＩＳＯ感度の設定情報を生成することができる。
【０１２７】
また、ステップ１０８の後に設定情報を自動設定するステップ１０９を挿入する場合には、連写撮影中、直前のコマを撮影したときに得られた測光値に基づいて被写体の明るさを求め、これに基づいて設定情報を生成し、該生成した設定情報に従って連写撮影する。これにより、コマ毎に設定を切替えながら連続撮影できる。
【０１２８】
上記実施の形態では、個別設定連写撮影モードで連写撮影するときに、所定の選択画面から十字カーソルボタン５０ｅを操作して所望の設定情報群を選択して連写撮影を行う例について説明したが、一発の操作で個別設定連写撮影モードに移行すると共に設定情報群を選択して連写撮影を開始できるようなボタンを設けるようにしてもよい。
【０１２９】
図１１は、このようなボタンを備えた撮影装置１０ａを背面方向から見た外観図である。撮影装置１０ａの背面に設けられたボタン５０ｆは、個別設定連写撮影モードに移行するための専用ボタンであり、この専用ボタン５０ｆは押した回数により設定情報群を切り換える機能を有する。
【０１３０】
例えば、（１）事前にユーザーが指定した設定情報群、（２）最後に使用した設定情報群、（３）頻繁に使用している設定情報群、のようにボタン５０ｆを押す毎に設定情報群を切替えるようにプログラムしておくことができる。この切替え順序もユーザが任意に指定しておくことができる。
【０１３１】
最後に使用した設定情報群や頻繁に使用する設定情報群とは関係なく、ユーザが任意に割り当てた設定情報群を切替え順序に割り当てるようにしてもよい。これにより、より簡易にユーザが所望する設定情報群を用いた個別設定連写撮影モードに移行でき、他人に頼んで連写撮影してもらうときなどに、即座に設定して撮影することができる。
【０１３２】
また、専用ボタン５０ｆの長押しにより個別設定連写撮影モードで使用する設定情報群を選択するための選択画面（上記実施の形態の図４に相当する画面）を呼び出すようにプログラムしておくこともできる。これにより、専用ボタン５０ｆの押下回数に応じて割り当てた設定情報群にユーザの所望の設定情報群が無くとも簡単に所望の設定情報群を呼び出してこれを用いて連写撮影することが可能になる。
【０１３３】
図１２は、専用ボタン５０ｆの操作に応じた設定情報群の切替え処理の流れを示すフローチャートである。
【０１３４】
ステップ２００では、専用ボタン５０ｆが押下されたか否かを判断する。専用ボタン５０ｆが押下されたと判断した場合には、ステップ２０２に進み、専用ボタン５０ｆからユーザの指が離れた、すなわち専用ボタン５０ｆの押下状態が解除されたか否かを判断する、ここで、専用ボタン５０ｆの押下状態が解除されたと判断した場合には、ステップ２０４に進み、変数ｎがＮＳＥＴに等しいか否かを判断する。ここで、変数ｎは、現在何番目の設定情報群が適用されているかをカウントするための変数であり、事前に割り当てた設定情報群の現在の番号が代入される。また、ＮＳＥＴは、事前に割り当てた設定情報群の総数を示す。従って、３つの設定情報群のいずれかに切替えるように予め設定されていた場合には、ＮＳＥＴは３となる。
【０１３５】
ステップ２０４で、変数ｎがＮＳＥＴに等しくないと判断した場合には、ステップ２０８でｎをカウントアップする。これにより、例えば、撮影装置１０ａに適用されていた設定情報群が１番目の設定情報群であった場合には、この時点で２番目の設定情報群に切替えられる。すなわち、専用ボタン５０ｆを押すごとに次の番号の設定情報群に切替えられる。このように切替えた状態でレリーズボタン５０ａを押下すれば、該切替えた設定情報群に従って連写撮影が開始される。
【０１３６】
一方、ステップ２０４で、変数ｎがＮＳＥＴに等しいと判断した場合には、ステップ２０６でｎに０を代入して、個別設定連写撮影モードを解除する。すなわち、ここでは、専用ボタン５０ｆが事前に割り当てた設定情報群の総数に到達した場合には、個別設定連写撮影モードを解除するようにしている。
【０１３７】
また、ステップ２０２で、専用ボタン５０ｆの押下状態が解除されず、更にステップ２１０で、専用ボタン５０ｆの押下状態が一定時間経過したと判断した場合には（すなわち、専用ボタン５０ｆが長押しされた場合には）、ステップ２１２に移行し、個別設定連写撮影モードで使用する設定情報群を選択するための選択画面（上記実施の形態の図４に相当する画面）を呼び出し、通常の設定情報群を選択するモードに移行する。
【０１３８】
このように、専用ボタン５０ｆを設けたため、ユーザは簡単な操作で即座に個別設定連写撮影モードに移行することができ、設定情報群の選択も容易になり、使い勝手が向上する。
【０１３９】
また、上記では専用ボタン５０ｆの押下回数によって個別設定連写撮影モードで連写撮影するときに用いられる設定情報群を切替える例について説明したが、複数の設定情報群に対応した複数の切替ボタンを設け、該複数の設定情報群の中から該切替ボタンの一回の操作で設定情報群を切替えられるようにしてもよい。
【０１４０】
図１３は、このようなボタンを備えた撮影装置１０ｂの背面方向から見た外観図である。撮影装置１０ｂの背面には、複数の設定情報群に対応付けられた複数の切替ボタン５０ｈ〜５０ｊが設けられている。撮影装置１０ｂの背面に設けられたボタン５０ｇは、設定情報群を切替えるモードに移行するための専用ボタンであり、これを押下することにより、図１４に示す選択画面８０が表示部４６に表示される。選択画面８０には、事前に複数の切替ボタン５０ｈ〜５０ｊの各々に割り当てた設定情報群を表すアイコン８２ａ〜８２ｃが、切替ボタン５０ｈ〜５０ｊの各々に対応したレイアウトで表示されている。このように選択画面８０を表示することにより、一目で設定情報群を選択でき、設定情報群に対応する切替ボタンを５０ｈ〜５０ｊのいずれかを容易に押下することができる。
【０１４１】
切替ボタン５０ｈ〜５０ｊのいずれかが押下されると、対応する設定情報群が設定された状態で個別設定連写撮影モードに即座に移行でき、移行後にレリーズボタン５０ａを押下すれば、上記選択した設定情報群に従って連写撮影が開始される。
【０１４２】
なお、上記では、選択画面８０を表示するための専用ボタン６８を押下することによって、選択画面８０を表示する例について説明したが、これに限定されず、例えば、表示部４６に選択画面８０を表示させるためのメニュー画面を表示させ、このメニュー画面から選択画面８０に移行するようにしてもよい。
【０１４３】
また、図４に示した選択画面７０や、図１１に示した専用ボタン５０ｆ或いは図１３に示した切替ボタン５０ｈ〜５０ｊ等により選択した設定情報群の内容をチェックし、ストロボを発光する設定情報が含まれていた場合には、連写撮影するときの撮影順序を変更するようにしてもよい。
【０１４４】
通常の個別設定連写撮影モードでは、設定情報群に設定されている設定情報の順序で撮影感度及びストロボ動作条件が設定されて各コマが連写されるが、例えば、ストロボ用コンデンサの性能や容量が充分でない場合に、連続してストロボ発光装置５４を発光すると、連写途中で容量不足となり連写撮影が中断されたりして、連写撮影が失敗してしまうことにもなりかねない。従って、こうした事態を防ぐために、各コマの設定情報及びストロボ発光装置５４の状態等に応じて、充電不足とならないようにストロボ発光するコマの間にストロボを発光しないコマを挿入する等、撮影順序を適宜変更して撮影する。
【０１４５】
図１５は、個別設定連写撮影モードのときに、撮影順序を並び替える処理の流れを示すフローチャートである。
【０１４６】
ステップ３００では、ユーザにより選択された設定情報群の内容をチェックする。
【０１４７】
ステップ３０２では、設定情報群のチェックの結果、ストロボを発光する撮影を行う設定情報が設定情報群に含まれているか否かを判断する。ここで、ストロボ発光撮影を行う設定情報が設定情報群に含まれていると判断した場合には、ステップ３０４で、撮影順序の並び替えを行って連写撮影を行う。
【０１４８】
例えば、設定情報群がストロボ発光撮影の設定情報とストロボ非発光撮影の設定情報の双方を含む設定情報群の場合には、例えば、ストロボ発光撮影の間隔が最も長くなるような撮影順序に撮影コマを並び替える。このようにすれば、ストロボ発光装置５４が充電する時間を稼ぐことができ、連写速度の低下を低減できる。あるいは、発光量不足を低減できる。また、ストロボ発光装置５４のコンデンサの充電にかかる時間に基づき、ストロボ発光撮影から次のストロボ発光撮影までの時間が該充電にかかる時間だけあくように撮影順序を並び替えるようにしてもよい。また、ストロボの１回の発光量とストロボ発光装置５４のコンデンサの現在の充電状態とに応じて、撮影順序を並び替えることもできる。
【０１４９】
なお、設定情報群の設定情報に無理がある（例えば、ストロボ発光撮影が多すぎるなど）場合には、警告を出すようにしてもよい。
【０１５０】
一方、ステップ３０２で、ストロボ発光撮影を行う設定情報が設定情報群に含まれていなければ、撮影順序の並び替えは行わず、そのままの設定順序で連写撮影を行う。
【０１５１】
このように、個別設定連写撮影モードで連写撮影する際に、設定情報、及びストロボ発光装置５４の状態（ここでいう状態にはストロボ発光装置５４の性能も含む）に応じて各連写撮影されるコマの撮影順序を、設定情報群で設定されている順序と異なる順序に変更することによって、不適切な撮影順序による失敗を防ぐことができ、充電不足を解消して、連写時の撮影間隔を短縮できる。
【０１５２】
なお、ユーザには設定情報群記憶部３６に記憶されている設定情報群の設定情報順に連写撮影して画像データを記録することを希望する者も多く、上記のように撮影順序を変更した場合には、実際に連写撮影された順序ではなく、記憶されている設定情報群に設定されている順序で各コマの画像データをメモリカード４２に記録するようにしてもよい。この場合には、ＣＰＵ３０は、撮影順序に拘わらずもとの設定情報群で設定されている順序に従って画像データがメモリカード４２に記録されるように制御する。これにより、所望の撮影結果が得られる。
【０１５３】
なお、個別設定連写撮影モードで連写撮影する前に、どのような撮影感度及びストロボ動作条件で各コマを撮影するのかが一目で確認できるように、図１６に示すような確認画面を表示することもできる。
【０１５４】
図１６に示すように、確認画面８４の右下には、連写する各コマ毎の設定情報を示すアイコン８６が配置されている。このアイコンは、撮影コマ番号、ストロボ動作条件、撮影感度が一目でわかるようなデザインになっている。
【０１５５】
図１６に示す例では、以下のように設定されたコマが連写撮影される。
１コマ目：ＩＳＯ８０、ストロボ強制発光
２コマ目：ＩＳＯ１６００、ストロボ発光禁止
３コマ目：ＩＳＯ４００、スローシンクロ。
【０１５６】
また、個別設定連写撮影モードで連写撮影した撮影結果を再生モードで再生するときに、各コマがどの設定条件で撮影されたのかが一目で確認できるように、図１７に示すような再生画面を表示することもできる。
【０１５７】
図１７に示すように、再生画面９０には、撮影された各コマの画像９２ａ〜９２ｃが表示され、図１６の確認画面８４で表示したアイコンと同じアイコン８６ａ〜８６ｃを、各コマの画像９２ａ〜９２ｃの上に重ねた状態で表示する。
【０１５８】
このように、撮影後に、撮影した画像を通常の連写モードで連写したときと同様に並べて表示し、その際に設定情報を表したアイコンを同時に表示することにより、どのコマをどの設定で撮影したかが一目でわかるようになる。
【０１５９】
また、上記実施の形態では、ユーザ自身が個別設定連写撮影モードに切替え、ユーザが選択した設定情報群の設定情報に従って連写撮影する例について説明したが、撮影装置が被写体の明るさ、主要被写体の明るさ、及び主要被写体の明るさと背景の明るさとの比の少なくとも１つに応じて個別設定連写撮影モードで連写撮影するか、被写体を単写撮影するかを自動的に決定し、該決定した撮影を行うようにしてもよい。
【０１６０】
このように、被写体の明るさ、主要被写体の明るさ、及び主要被写体の明るさと背景の明るさとの比の少なくとも１つに基づいて単写撮影するか、個別設定連写撮影モードで設定情報に従って連写撮影するかを決定し、該決定した撮影が行われるようにようにすれば、例えば被写体の輝度が充分であり失敗する可能性の少ない明るさである場合には単写撮影を行い、主要被写体または被写体が暗い、或いは逆光である場合には、個別設定連写撮影モードで連写撮影を行うことができる。これにより、無駄な連写撮影を行うことなく、効率的で、最適な撮影を行うことができる。なお、逆光であるか否かは、主要被写体の明るさと背景の明るさとの比で判断できる。
【０１６１】
なお、個別設定連写撮影モードで連写撮影する場合に、被写体の明るさ、主要被写体の明るさ、及び主要被写体の明るさと背景の明るさとの比の少なくとも１つに基づいて、記憶された設定情報（または設定情報群）から連写撮影するときに用いる設定情報（または設定情報群）を自動的に撮影装置が選択し、該選択した設定情報に従って連写撮影するようにしてもよい。
【０１６２】
このように、設定情報（設定情報群）も被写体の明るさ、主要被写体の明るさ、及び主要被写体の明るさと背景の明るさとの比の少なくとも１つに応じて自動的に選択することができるため、ユーザの使い勝手が向上する。
【図面の簡単な説明】
【０１６３】
【図１】本実施の形態に係る撮影装置を背面方向から見た外観図である。
【図２】本実施の形態に係る撮影装置の電気系の構成を示すブロック図である。
【図３】個別設定連写撮影モードにおける撮影処理ルーチンの流れを示したフローチャートである。
【図４】設定情報群を選択する選択画面の表示例を示した図である。
【図５】設定情報を入力するための入力画面を表示させるためのメニュー画面の一例を示した図である。
【図６】図５のメニュー画面で「プログラム連写」が選択されたときに表示されるメニュー画面の一例を示す図である。
【図７】図６のメニュー画面で「プログラム設定」が選択されたときに表示されるメニュー画面の一例を示す図である。
【図８】図７のメニュー画面で「新規」または「選択」が選択されたときに表示される入力画面の一例を示す図である。
【図９】撮影条件を選択することによって設定情報を入力する入力画面の一例を示す図である。
【図１０】個別設定連写撮影モードにおいて、設定情報が未設定のコマについて設定情報を自動設定するステップを含めた撮影処理ルーチンの流れを示したフローチャートである。
【図１１】一発の操作で個別設定連写撮影モードに移行すると共に設定情報群を選択して即座に連写撮影を開始するための専用ボタンを備えた撮影装置を背面方向から見た外観図である。
【図１２】図１１に示す専用ボタンの操作に応じた設定情報群の切替え処理の流れを示すフローチャートである。
【図１３】複数の設定情報群に対応した複数の切替ボタンを備えた撮影装置を背面方向から見た外観図である。
【図１４】図１３に示す複数の切替ボタンの各々に割り当てた設定情報群を表すアイコンが、切替ボタンの各々に対応したレイアウトで表示された選択画面の一例である。
【図１５】個別設定連写撮影モードのときに、撮影順序を並び替える処理の流れを示すフローチャートである。
【図１６】個別設定連写撮影モードで連写撮影する前に、どのような撮影感度及びストロボ動作条件で各コマを撮影するのかを確認することができる確認画面の一例を示す図である。
【図１７】個別設定連写撮影モードで連写撮影した撮影結果を再生モードで再生するときに、各コマがどの設定条件で撮影されたのかを確認することができる再生画面の一例を示すである。
【符号の説明】
【０１６４】
１０、１０ａ、１０ｂ  撮影装置
１２  撮影光学系
１８  ＣＣＤ
３０  ＣＰＵ
３４  設定情報記憶部
３６  設定情報群記憶部
４２  メモリカード
４６  表示部
５４  ストロボ発光装置
５０ｆ  専用ボタン
５０ｈ、５０ｉ、５０ｊ  切替ボタン
【図１】
2007266926.tif 000003
【図２】
2007266926.tif 000004
【図３】
2007266926.tif 000005
【図４】
2007266926.tif 000006
【図５】
2007266926.tif 000007
【図６】
2007266926.tif 000008
【図７】
2007266926.tif 000009
【図８】
2007266926.tif 000010
【図９】
2007266926.tif 000011
【図１０】
2007266926.tif 000012
【図１１】
2007266926.tif 000013
【図１２】
2007266926.tif 000014
【図１３】
2007266926.tif 000015
【図１４】
2007266926.tif 000016
【図１５】
2007266926.tif 000017
【図１６】
2007266926.tif 000018
【図１７】
2007266926.tif 000019